(57)【特許請求の範囲】
【請求項１】
光ファイバケーブルの端末部から露出させた光ファイバを収容するフェルールから前記光ファイバケーブルの端末部に亘って延出された被収容部と、前記被収容部を収容するハウジングと、を備える光コネクタであって、
前記ハウジングは、前記被収容部の延出方向の全体に亘って設けられ、かつ、前記被収容部の周方向における少なくとも一部を露出状態とする第１ハウジングと、前記露出状態とされた前記被収容部を覆うように前記第１ハウジングに組み付けられる第２ハウジングと、を備えて構成され、
前記第１ハウジングは、前記被収容部のうち前記フェルールを周方向の全周に亘って包囲した状態で収容する包囲収容部と、前記被収容部のうち前記光ファイバケーブルの端末部について周方向の一部を前記露出状態で収容する露出収容部と、を備え、
前記フェルールは、弾性部材の弾性力によって付勢されるものとされ、前記弾性部材による付勢方向に向かうにつれて径が小さくなる鍔状部を有しており、
前記包囲収容部は、前記付勢方向に向かうにつれて前記鍔状部に近づく傾斜面を有し、
前記傾斜面は、前記鍔状部をその全周に亘って包囲すると共に、前記鍔状部に対して前記弾性部材とは反対側から当接する構成とされ、
前記第２ハウジングは、前記弾性部材を弾性収縮させた状態で支持する支持部を有し、
前記第２ハウジングは、前記第１ハウジングに対して傾斜した姿勢で前記支持部を前記弾性部材に当接させた後に姿勢を変えて前記第１ハウジングに組み付け可能となっている光コネクタ。
【請求項２】
前記第２ハウジングには、前記傾斜した姿勢で前記第１ハウジングに当接して当該第２ハウジングの進入の終端位置を位置決め可能な位置決め部が設けられている請求項１に記載の光コネクタ。
【請求項３】
前記第１ハウジングには、前記被収容部を収容する第１収容室が設けられるとともに、前記第２ハウジングには、前記弾性部材が挿通される挿通凹部が前記第１収容室に進入可能に設けられている請求項１又は請求項２に記載の光コネクタ。
【請求項４】
前記挿通凹部には、前記傾斜した姿勢で進入する際に前記第１ハウジングへの当接を抑制する逃げ部が形成されている請求項３に記載の光コネクタ。
【請求項５】
前記光ファイバケーブルは、前記光ファイバの周囲を包囲する包囲部材が端末部においてカシメリングでかしめ付けられることにより、前記光ファイバケーブルの端末部に環状凸部が形成されるものであり、
前記ハウジングは、前記第１ハウジングに前記第２ハウジングが組み付けられることで、前記光ファイバケーブルの端末部が収容される第２収容室が形成されており、
前記第２収容室には、前記環状凸部が嵌め込まれる環状凹部が設けられている請求項１から請求項４のいずれか一項に記載の光コネクタ。
【請求項６】
前記第２収容室には、前記環状凹部を貫通する貫通孔が前記カシメリングを露出させるように設けられている請求項５に記載の光コネクタ。
【発明の詳細な説明】
【技術分野】
【０００１】
本発明は、光コネクタに関する。
【背景技術】
【０００２】
従来、光コネクタとして、特許文献１に記載のものが知られている。この光コネクタは、四角型筒状の前部プラグハウジングの軸線方向の後方に四角形状のエクステンダが配されており、これらの間にフェルール組立体が収容されている。そして、光コネクタの後端から光ファイバケーブル（光ファイバコード）が延出されている、
【先行技術文献】
【特許文献】
【０００３】
【特許文献１】特開２０１１−８２０９号公報
【発明の概要】
【発明が解決しようとする課題】
【０００４】
ところで、自動車などの車両の内部に光コネクタが配される場合には、光ファイバケーブルを配策する際に、光ファイバケーブルが当該光ファイバケーブルの延出方向（軸線方向）に対して交差する方向に引っ張られることがある。また、車両の走行時の振動などによっても、同様な力が加わることも考えられる。
【０００５】
ここで、特許文献１のように、光コネクタが前部プラグハウジングとエクステンダによって延出方向（軸線方向）に分割された構成であると、光ファイバケーブルについて延出方向（軸線方向）と交差する方向の力が生じると、この力が前部プラグハウジングとエクステンダとの境界部分に及んで当該境界部分が折曲がる方向の力を受け、内部のフェルール組立体や光ファイバ等に不具合が生じることが懸念される。特許文献１では、エクステンダの後方に設けられた回動枢軸部が回動軸を中心に回動するように構成されており、前部プラグハウジングの軸線方向（延出方向）と交差する方向の力等をある程度吸収することができると考えられるが、この場合、回動枢軸部を設ける分だけ光コネクタの構成が複雑になるという問題がある。
【０００６】
本発明は上記のような事情に基づいて完成されたものであって、光ファイバケーブルの延出方向と交差する方向の力による不具合を抑制することが可能な光コネクタを提供することを目的とする。
【課題を解決するための手段】
【０００７】
本発明に係る光コネクタは、光ファイバケーブルの端末部から露出させた光ファイバを収容するフェルールから前記光ファイバケーブルの端末部に亘って延出された被収容部と、前記被収容部を収容するハウジングと、を備える光コネクタであって、前記ハウジングは、前記被収容部の延出方向の全体に亘って設けられ、かつ、前記被収容部の周方向における少なくとも一部を露出状態とする第１ハウジングと、前記露出状態とされた前記被収容部を覆うように前記第１ハウジングに組み付けられる第２ハウジングと、を備えて構成される。
【０００８】
本構成によれば、ハウジングは、被収容部の延出方向の全体に亘って設けられるため、光ファイバケーブルについて延出方向に対して交差する方向の力を受けたとしても、複数のハウジングが延出方向に分断された構成と比較して、被収容部側に力が与えられにくい。よって、光ファイバケーブルの延出方向と交差する方向の力による不具合を抑制することが可能となる。
【０００９】
また、第１ハウジングについて被収容部の周方向における少なくとも一部を露出状態とし、第２ハウジングについて露出状態とされた被収容部を覆うように第１ハウジングに組み付けるようにすることで、被収容部を保持する構成を簡素化することが容易になる。
【００１０】
上記構成の実施態様として以下の構成を有すれば好ましい。
・前記第１ハウジングは、前記被収容部のうち前記フェルールを周方向の全周に亘って包囲した状態で収容する包囲収容部と、前記被収容部のうち前記光ファイバケーブルの端末部について周方向の一部を前記露出状態で収容する露出収容部とを備える。
【００１１】
このようにすれば、第１ハウジングが、フェルールについて周方向の全周に亘って包囲した状態で収容する包囲収容部を備えることで、包囲収容部については周方向の一部を露出させる構成と比較してフェルールの位置決め精度を向上させることができる。また、光ファイバケーブルの端末部について周方向の一部を露出状態で収容する露出収容部とを備えることにより、光ファイバケーブルを保持する構成を簡素化することが可能になる。
【００１２】
・前記フェルールは、弾性部材の弾性力で付勢されるようになっており、前記第２ハウジングは、前記弾性部材を弾性収縮させた状態で支持する支持部とを有し、前記第２ハウジングは、前記第１ハウジングに対して傾斜した姿勢で前記支持部を前記弾性部材に当接させた後に姿勢を変えて前記第１ハウジングに組み付け可能となっている。
このようにすれば、光コネクタの組み付けを容易に行うことが可能になる。
【００１３】
・前記第２ハウジングには、前記傾斜した姿勢で前記第１ハウジングに当接して当該第２ハウジングの進入の終端位置を位置決め可能な位置決め部が設けられている。
このようにすれば、第２ハウジングの第１ハウジングへの組み付けを容易にすることができる。
【００１４】
・前記第１ハウジングには、前記被収容部を収容する第１収容室が設けられるとともに、前記第２ハウジングには、前記弾性部材が挿通される挿通凹部が前記第１収容室に進入可能に設けられている。
このようにすれば、第１収容室に弾性部材が挿通される挿通凹部を配することができる。
【００１５】
・前記挿通凹部には、前記傾斜した姿勢で進入する際に前記第１ハウジングへの当接を抑制する逃げ部が形成されている。
このようにすれば、挿通凹部の第１収容室への進入時に、逃げ部により挿通凹部が第１ハウジングに当接することを抑制することができる。
【００１６】
・前記光ファイバケーブルは、前記光ファイバの周囲を包囲する包囲部材が端末部においてカシメリングでかしめ付けられることにより、前記光ファイバケーブルの端末部に環状凸部が形成されるものであり、前記ハウジングは、前記第１ハウジングに前記第２ハウジングが組み付けられることで、前記光ファイバケーブルの端末部が収容される第２収容室が形成されており、前記第２収容室には、前記環状凸部が嵌め込まれる環状凹部が設けられている。
このようにすれば、光ファイバケーブルの端末部に設けられる環状凸部を利用して、光ファイバケーブルの端末部の位置決めをすることが可能になる。
【００１７】
・前記第２収容室には、前記環状凹部を貫通する貫通孔が前記カシメリングを露出させるように設けられている。
このようにすれば、環状凹部を貫通する貫通孔がカシメリングを露出させるように設けられているため、環状凹部を貫通させない場合と比較して光コネクタを小型化することが可能になる。
【発明の効果】
【００１８】
本発明によれば、光コネクタについて、光ファイバケーブルの延出方向と交差する方向の力による不具合を抑制することが可能となる。
【図面の簡単な説明】
【００１９】
【図１】本発明の実施形態に係る光コネクタを示す背面図
【図２】光コネクタを示す底面図
【図３】図２のＡ−Ａ断面図
【図４】第１ハウジングを示す平面図
【図５】第１ハウジングを示す側面図
【図６】第１ハウジングを示す底面図
【図７】第１ハウジングを示す正面図
【図８】第１ハウジングを示す背面図
【図９】図４のＢ−Ｂ断面図
【図１０】図４のＣ−Ｃ断面図
【図１１】図５のＤ−Ｄ断面図
【図１２】図７のＥ−Ｅ断面図
【図１３】第２ハウジングを示す平面図
【図１４】第２ハウジングを示す側面図
【図１５】図１３のＦ−Ｆ断面図
【図１６】第２ハウジングを示す底面図
【図１７】第２ハウジングを示す正面図
【図１８】第２ハウジングを示す背面図
【図１９】図１３のＧ−Ｇ断面図
【図２０】図１７のＨ−Ｈ断面図
【図２１】第１ハウジングに被収容部が露出状態で収容された状態を示す底面図
【図２２】第２ハウジングを傾斜した姿勢で第１ハウジングに組み付けようとする状態を示す図
【図２３】コイルばねが挿通凹部の支持部に当接した状態を示す図
【図２４】コイルばねを弾性収縮させた状態を示す図
【発明を実施するための形態】
【００２０】
本発明の実施形態を図１から図２４を参照して説明する。
本実施形態の光コネクタ１０は、自動車等の車両の情報通信機器に接続されて車両内に配策された光ファイバケーブル間を接続するものである。以下では、上下方向については、図３を基準とし、図３の左方を前方、右方を後方として説明する。
【００２１】
光コネクタ１０は、図３に示すように、フェルール１２から光ファイバケーブル１７の端末部に亘って延出された被収容部１１と、被収容部１１が収容されるハウジング２３とを有する。
被収容部１１は、光ファイバ１７Ａの先端部を収容するフェルール１２と、フェルール１２を後方から付勢するコイルばね１６（本発明の構成である「弾性部材」の一例）と、光ファイバケーブル１７の端末部に取り付けられるケーブル固定部材１８とを備える。
【００２２】
フェルール１２は、光ファイバ１７Ａの先端部を保持するものであり、フェルール１２の中央に形成されたファイバ保持孔に光ファイバ１７Ａが接着剤などによって固定されている。
フェルール１２は、棒状部１３と、棒状部１３の後方に連なり棒状部１３よりも径が大きい鍔状部１４と、鍔状部１４の後方にて段差状に径が小さくなりコイルばね１６が通されるバネ挿通部１５とを備える。
【００２３】
棒状部１３は、円筒形状であって、その先端部の周縁には全周に傾斜面が形成されている。
鍔状部１４は、棒状部１３よりも径が大きくされており、先端側には、棒状部１３に連なり全周に亘って傾斜状に径が大きくなる傾斜部が形成されている。
バネ挿通部１５は、円柱状であって、コイルばね１６の内側に挿通可能な外径で形成されている。
【００２４】
コイルばね１６は、被収容部１１がハウジング２３に収容された状態では、弾性収縮した状態で第２ハウジング４４に後方から支持されている。
光ファイバケーブル１７は、光ファイバ１７Ａと、光ファイバケーブル１７の引っ張り強度を確保する補強素線１７Ｂ（本発明の構成である「包囲部材」の一例）と、これらを覆うシース１７Ｃとを有する。
【００２５】
光ファイバケーブル１７は、中心を通る光ファイバ１７Ａと、光ファイバ１７Ａの周面を包囲する補強素線１７Ｂと、光ファイバ１７Ａ及び補強素線１７Ｂの外周を覆う絶縁被覆であるシース１７Ｃとからなる。
光ファイバ１７Ａは、光ファイバケーブル１７の先端から所定長さ露出しており、その露出した先端部がフェルール１２に保持されている。
光ファイバケーブル１７のシース１７Ｃは、先端側から所定長さのスリット状の切り込み（図示しない）が形成されている。シース１７Ｃの内側の補強素線１７Ｂは、切り込みを通して、シース１７Ｃの外側に出されている。
光ファイバケーブル１７の端末部（シース１７Ｃの先端部）には、ケーブル固定部材１８が取り付けられている。
【００２６】
ケーブル固定部材１８は、カシメリング１９とストップリング２０とからなる。
カシメリング１９は、例えばアルミニウムで形成された段差のある筒状の部材であり、円筒形状の大径筒部１９Ａと、大径筒部１９Ａから段差状に径が小さくされた円筒形状の小径筒部１９Ｂとからなる。小径筒部１９Ｂの内周には、シース１７Ｃに固定するための食い込み凸部１９Ｃが形成されている。
ストップリング２０は、例えばステンレスや真鍮で形成された筒状の部材である。
【００２７】
ケーブル固定部材１８の光ファイバケーブル１７への固定は、カシメリング１９を光ファイバケーブル１７の外周に挿通するとともに、ストップリング２０を光ファイバケーブル１７の外周に挿通する。次に、ストップリング２０の外周と、カシメリング１９の大径筒部１９Ａとの間に補強素線１７Ｂを挟む。この状態で、カシメリング１９の大径筒部１９Ａをかしめ付けると補強素線１７Ｂがカシメリング１９とストップリング２０との間に固定される。また、小径筒部１９Ｂをかしめ付けることで食い込み凸部がシース１７Ｃに食い込み、カシメリング１９が光ファイバケーブル１７に固定される。即ち、光ファイバケーブル１７の端末部がケーブル固定部材１８に固定される。なお、カシメリング１９の大径筒部１９Ａの内側、および、ストップリング２０の外側に、例えばローレット加工などを施し、これらの間に挟み込まれる補強素線１７Ｂが抜けにくいようにするとよい。
【００２８】
そして、このようなケーブル固定部材１８を光ファイバケーブル１７に固定することで、光ファイバケーブル１７の端末部には、ストップリング２０、補強素線１７Ｂ、及び、大径筒部１９Ａによって、シース１７Ｃの外周面よりも光ファイバケーブル１７の径方向に突き出た環状凸部２１が形成されている。
【００２９】
ハウジング２３は、合成樹脂製であって、被収容部１１の延出方向の全体に亘って被収容部１１の周方向の少なくとも一部を覆うように設けられ、かつ、被収容部１１の周方向における少なくとも一部を露出状態とする第１ハウジング２４と、露出状態とされた被収容部１１を覆うように第１ハウジング２４に組み付けられる第２ハウジング４４と、を備えている。
【００３０】
第１ハウジング２４は、フェルール１２について周方向の全周に亘って包囲した状態で収容する包囲収容部２５と、包囲収容部２５の後方側に連なり、光ファイバケーブル１７の端末部について周方向の一部を露出状態で収容する露出収容部３３と、が一体に形成されている。
【００３１】
包囲収容部２５は、箱形状をなしており、この包囲収容部２５の外面が相手側コネクタ（図示しない）と嵌合する嵌合部２６となる。
包囲収容部２５は、図７に示すように、それぞれ被収容部１１の前方側を収容可能な左右２個（複数）の第１収容室２７を備えている。
【００３２】
各第１収容室２７は、被収容部１１が収容可能な空間を包囲する隔壁３４を有しており、図１２に示すように、前端の開口部２８Ａから露出収容部３３側に設けられた後端の開口部２８Ｂまで連通する連通孔２８を有する。
隔壁３４は、前後方向の中間部に、連通孔２８の孔径を段差状に縮径してフェルール１２の前方への位置決めをする前止まり部３０を備えている。
【００３３】
前止まり部３０は、隔壁３４を全周に亘って内方側に突出させたものであり、前端が段差状に突出するとともに、後方側には、傾斜状に突出寸法が小さくなる傾斜面が形成されている。そして、棒状部１３が前止まり部３０の内側を通って前方の連通孔２８内に突出している。
包囲収容部２５の上面部には、前端部を基端として後方の露出収容部３３側まで延出されてなるロックアーム３１が設けられている。ロックアーム３１は、相手側の雄型の光コネクタとの嵌合状態のロック及びその解除のために設けられており、相手側の光コネクタの筒状に開口するフード部（図示しない）に係止するロック凸部３２を有する。
【００３４】
露出収容部３３は、包囲収容部２５の底面２５Ａを無くして被収容部１１を露出させる形状である。
露出収容部３３の底面３３Ａは、平坦な形状であって、光ファイバケーブル１７の端末部のうち環状凸部２１が配される位置には、円弧状の内面を有するように厚肉とされた第１凹状部３５が形成されている。
【００３５】
第１凹状部３５のうち、上端部分は、第１凹状部３５を貫通する貫通孔３６が形成されている。
露出収容部３３の両側面には、上方に起立する保護壁４３が設けられている。保護壁４３がロックアーム３１の両側に設けられることで、ロックアーム３１に誤って触れないようになっている。
【００３６】
保護壁４３の外面には、図５に示すように、被係止突部３７が側方側に突出している。
被係止突部３７は、上端が段差状に外方に突出し、下方側に向けて突出寸法が傾斜状に小さくなる傾斜面を有する。
また、保護壁４３の外面には、作業者が摘むことが可能なＬ字状の摘み部３８が外方に突出形成されている。
【００３７】
摘み部３８は、第２ハウジング４４の係止枠５３が配される部分の近傍であって、係止枠５３の縁部に沿うように設けられており、前後方向（係止枠５３の並び方向）に延びる第１摘み部３９と、第１摘み部３９の前端に連なり下方に延びる第２摘み部４２とからなる。
第１摘み部３９の後端部には、階段状（カスケード状）に突出寸法が小さくなる滑り防止部４０が設けられている。
【００３８】
滑り防止部４０は、後方側に向けて階段状に突出寸法を小さくする３個の段差部４１Ａ〜４１Ｃが等間隔で並んで設けられている。
第２摘み部４２は、露出収容部３３の前端部に設けられており、相手側光コネクタ１０との嵌合の際には、相手側光コネクタ１０の後端部が、この第２摘み部４２に近い前方に配される。
摘み部３８の突出寸法は、段差部４１Ａ〜４１Ｃ以外の突出寸法が一定であって、図１に示すように、被係止突部３７の突出寸法よりも大きく、（第２ハウジング４４が組み付けられた際の）係止枠５３の厚み寸法（第１ハウジング２４からの突出寸法）とほぼ等しい寸法とされている。
【００３９】
第２ハウジング４４は、図１５に示すように、第１ハウジング２４の露出収容部３３を覆うカバー部４５と、カバー部４５の側端部から起立する複数の係止枠５３とを備えており、この第２ハウジング４４が第１ハウジング２４に組み付けられることで、被収容部１１の後方側が収容される第２収容室５４が形成される。
【００４０】
カバー部４５は、前端部に設けられコイルばね１６が挿通される挿通凹部４６と、後端部に設けられ光ファイバケーブル１７の端末部を保持する保持凹部４９と、挿通凹部４６と保持凹部４９との間に設けられ第１ハウジング２４との間に光ファイバ１７Ａが挿通される空間を形成する板状部５１とを備える。
【００４１】
挿通凹部４６は、内面が円弧状の隔壁４７と、隔壁４７の後端部において内方側に縮径してコイルばね１６を後方から支持する支持部４８とを有する。隔壁４７は、その先端部が前方に突出する形状をなしており、第２ハウジング４４が第１ハウジング２４に組み付けられると、隔壁４７の先端部（挿通凹部４６の前端部）は、第１収容室２７内に配される。
【００４２】
挿通凹部４６の前端のうちの幅方向の中間部には、後方に切欠かれた切欠き部４６Ａが設けられており、この切欠き部４６Ａの後端は、第２ハウジング４４の組み付けの際に第１ハウジング２４に当接して第２ハウジング４４の前端位置を定める位置決め部４６Ｂとされている。
保持凹部４９は、光ファイバケーブル１７の端末部の周方向の下側部分が嵌まり込んで保持されるものであり、環状凸部２１が嵌まり込む第２凹状部５０を備える。
【００４３】
第２凹状部５０は、円弧状の内面を有し、その下端に第２凹状部５０を貫通する長方形状の貫通孔５０Ａが形成されている。
そして、この第２凹状部５０と第１ハウジング２４の第１凹状部３５とが環状に連なることで環状凸部２１が嵌まり込む環状凹部５２が形成され（図１参照）、環状凸部２１が嵌まり込んだ状態では、環状凸部２１の外周面の上端部及び下端部が貫通孔３６，５０Ａに露出する。
係止枠５３は、カバー部４５の左右にそれぞれ、前後一対設けられている。各係止枠５３は、コ字状であって、その内側に上下方向に長い長方形状の係止孔５３Ａが貫通形成されている。そして、第１ハウジング２４の被係止突部３７が第２ハウジング４４の係止枠５３の係止孔５３Ａの孔縁に係止されることにより、第１ハウジング２４と第２ハウジング４４とが組み付け状態に保持されるようになっており、係止枠５３及び係止突部３７が第１ハウジング２４と第２ハウジング４４とを組み付け状態に保持する保持部５５とされる。
【００４４】
次に、光コネクタ１０の組み付けについて説明する。
ケーブル固定部材１８を光ファイバケーブル１７の端末部に固定し、光ファイバケーブル１７から所定長むき出しにした光ファイバ１７Ａにコイルばね１６を挿通して光ファイバ１７Ａの先端部をフェルール１２内部に装着する。そして、このフェルール１２を第１ハウジング２４の第１収容室２７内に突き当たるまで挿入し、コイルばね１６の先端側をバネ挿通部１５に挿通する。また、光ファイバケーブル１７の端末部の環状凸部２１を第１ハウジング２４の第１凹状部３５に嵌め込む（図２１）。
【００４５】
次に、図２２に示すように、第２ハウジング４４を傾斜した姿勢で第１ハウジング２４の開口部２８Ｂに近づける。そして、コイルばね１６が挿通凹部４６に挿通され、さらに第２ハウジング４４が近づくと、図２３に示すように、支持部４８がコイルばね１６の後端部に当接してコイルばね１６を弾性収縮させる。そして、コイルばね１６を弾性収縮させていくと、第１ハウジング２４の開口部２８Ｂが挿通凹部４６の位置決め部４６Ｂに当接する（図２４）。なお、挿通凹部４６の先端の逃げ部４６Ｃを露出収容部３３の底面３３Ａから連通孔２８にかけて摺接させて第２ハウジング４４を組み付けるようにしてもよい。
そして、この状態から第２ハウジング４４の位置決め部４６Ｂを支点として回転させ、第２ハウジング４４を露出状態の被収容部１１を覆うように被せる。このとき、係止枠５３が被係止突部３７に当接して撓み変形し、係止枠５３が復元変形すると被係止突部３７が係止孔５３Ａの孔縁に係止されて第２ハウジング４４が第１ハウジング２４に組み付けられた状態に保持される（図３）。このとき、環状凸部２１は、貫通孔３６，５０Ａにより外部に露出する。
【００４６】
本実施形態によれば、以下の作用・効果を奏する。
（１）光ファイバケーブル１７の端末部から露出させた光ファイバ１７Ａを収容するフェルール１２から光ファイバケーブル１７の端末部に亘って延出された被収容部１１と、被収容部１１を収容するハウジング２３と、を備える光コネクタ１０であって、ハウジング２３は、被収容部１１の延出方向の全体に亘って設けられ、かつ、被収容部１１の周方向における少なくとも一部を露出状態とする第１ハウジング２４と、露出状態とされた被収容部１１を覆うように第１ハウジング２４に組み付けられる第２ハウジング４４と、を備えて構成される。
【００４７】
本実施形態によれば、ハウジング２３は、被収容部１１の延出方向の全体に亘って設けられるため、光ファイバケーブル１７について延出方向に対して交差する方向の力を受けたとしても、複数のハウジング２３が延出方向に分断された構成と比較して、被収容部１１側に力が与えられにくい。よって、光ファイバケーブル１７の延出方向と交差する方向の力による不具合を抑制することが可能となる。
また、第１ハウジング２４について被収容部１１の周方向における少なくとも一部を露出状態とし、第２ハウジング４４について露出状態とされた被収容部１１を覆うように第１ハウジング２４に組み付けるようにすることで、被収容部１１を保持する構成を簡素化することが容易になる。
【００４８】
（２）第１ハウジング２４は、被収容部１１のうちフェルール１２を周方向の全周に亘って包囲した状態で収容する包囲収容部２５と、被収容部１１のうち光ファイバケーブル１７の端末部について周方向の一部を露出状態で収容する露出収容部３３とを備える。
このようにすれば、第１ハウジング２４が、フェルール１２について周方向の全周に亘って包囲した状態で収容する包囲収容部２５を備えることで、包囲収容部２５については周方向の一部を露出させる構成と比較してフェルール１２の位置決め精度を向上させることができる。また、光ファイバケーブル１７の端末部について周方向の一部を露出状態で収容する露出収容部３３とを備えることにより、光ファイバケーブル１７を保持する構成を簡素化することが可能になる。
【００４９】
（３）フェルール１２は、コイルばね１６（弾性部材）の弾性力で付勢されるようになっており、第２ハウジング４４は、コイルばね１６を弾性収縮させた状態で支持する支持部４８とを有し、第２ハウジング４４は、第１ハウジング２４に対して傾斜した姿勢で支持部４８をコイルばね１６に当接させた後に姿勢を変えて第１ハウジング２４に組み付け可能となっている。
このようにすれば、光コネクタ１０の組み付けを容易に行うことが可能になる。
【００５０】
（４）第２ハウジング４４には、傾斜した姿勢で第１ハウジング２４に当接して当該第２ハウジング４４の進入の終端位置を位置決め可能な位置決め部４６Ｂが設けられている。
このようにすれば、第２ハウジング４４の第１ハウジング２４への組み付けを容易にすることができる。
【００５１】
（５）第１ハウジング２４には、被収容部１１を収容する第１収容室２７が設けられるとともに、第２ハウジング４４には、コイルばね１６（弾性部材）が挿通される挿通凹部４６が第１収容室２７に進入可能に設けられている。
このようにすれば、第１収容室２７にコイルばね１６が挿通される挿通凹部４６を配することができる。
【００５２】
（６）挿通凹部４６には、傾斜した姿勢で進入する際に第１ハウジング２４への当接を抑制する逃げ部４６Ｃが形成されている。
このようにすれば、挿通凹部４６の第１収容室２７への進入時に、逃げ部４６Ｃにより挿通凹部４６が第１ハウジング２４に当接することを抑制することができる。
【００５３】
（７）光ファイバケーブル１７は、光ファイバ１７Ａの周囲を包囲する補強素線１７Ｂ（包囲部材）が端末部においてカシメリング１９でかしめ付けられることにより、光ファイバケーブル１７の端末部に環状凸部２１が形成されるものであり、ハウジング２３は、第１ハウジング２４に第２ハウジング４４が組み付けられることで、光ファイバケーブル１７の端末部が収容される第２収容室５４が形成されており、第２収容室５４には、環状凸部２１が嵌め込まれる環状凹部５２が設けられている。
このようにすれば、光ファイバケーブル１７の端末部に設けられる環状凸部２１を利用して、光ファイバケーブル１７の端末部の位置決めをすることが可能になる。
【００５４】
（８）第２収容室５４には、環状凹部５２を貫通する貫通孔３６がカシメリング１９を露出させるように設けられている。
このようにすれば、環状凹部５２を貫通する貫通孔３６がカシメリング１９を露出させるように設けられているため、環状凹部５２を貫通させない場合と比較して光コネクタ１０を小型化することが可能になる。
【００５５】
＜他の実施形態＞
本発明は上記記述及び図面によって説明した実施形態に限定されるものではなく、例えば次のような実施形態も本発明の技術的範囲に含まれる。
【００５６】
（１）上記実施形態では、第１ハウジング２４には、被収容部１１のうちフェルール１２について周方向の全周に亘って包囲した状態で収容する包囲収容部２５を設けることとしたが、これに限られない。例えば、第１ハウジングに包囲収容部２５を設けず、第１ハウジングを被収容部１１の延出方向の全体を露出状態で収容するように構成し、第２ハウジングについては被収容部１１の露出状態とされた延出方向の全体を覆うようにしてもよい。
【００５７】
（２）上記実施形態では、環状凹部５２には、貫通孔３６，５０Ａを設けたが、貫通孔３６，５０Ａを設けない構成としてもよい。
（３）第２ハウジング４４を組み付け状態に保持する構成として、第１ハウジング２４に被係止突部３７を設け、第２ハウジング４４に係止枠５３を設ける構成としたが、これに限られず、第１ハウジングと第２ハウジングとの組み付け状態が保持される構成であればよい。例えば、第１ハウジング側に係止枠を設け、第２ハウジング側に係止突部を設けるようにしてもよい。即ち、両ハウジングに互いに保持し合う保持部を設けるようにすればよい。
【符号の説明】
【００５８】
１０…光コネクタ
１１…被収容部
１２…フェルール
１６…コイルばね（弾性部材）
１７…光ファイバケーブル
１７Ａ…光ファイバ
１７Ｂ…補強素線（包囲部材）
１７Ｃ…シース
１８…ケーブル固定部材
１９…カシメリング
１９Ａ…大径筒部
１９Ｂ…小径筒部
２０…ストップリング
２１…環状凸部
２３…ハウジング
２４…第１ハウジング
２５…包囲収容部
２７…第１収容室
２８…連通孔
２８Ａ，２８Ｂ…開口部
３０…前止まり部
３０Ａ…段差部
３０Ｂ…傾斜面
３１…ロックアーム
３３…露出収容部
３３Ａ…底面
３４…隔壁
３５…第１凹状部
３６…貫通孔
３７…被係止突部
３８…摘み部
３９…第１摘み部
４０…滑り防止部
４１Ａ〜４１Ｃ…段差部
４２…第２摘み部
４３…保護壁
４４…第２ハウジング
４５…カバー部
４６…挿通凹部
４６Ａ…切欠き部
４６Ｂ…位置決め部
４６Ｃ…逃げ部
４７…隔壁
４８…支持部
４９…保持凹部
５０…第２凹状部
５０Ａ…貫通孔
５２…環状凹部
５３…係止枠
５３Ａ…係止孔
５４…第２収容室
５５…保持部
【図１】
0005812335.tif 000002
【図２】
0005812335.tif 000003
【図３】
0005812335.tif 000004
【図４】
0005812335.tif 000005
【図５】
0005812335.tif 000006
【図６】
0005812335.tif 000007
【図７】
0005812335.tif 000008
【図８】
0005812335.tif 000009
【図９】
0005812335.tif 000010
【図１０】
0005812335.tif 000011
【図１１】
0005812335.tif 000012
【図１２】
0005812335.tif 000013
【図１３】
0005812335.tif 000014
【図１４】
0005812335.tif 000015
【図１５】
0005812335.tif 000016
【図１６】
0005812335.tif 000017
【図１７】
0005812335.tif 000018
【図１８】
0005812335.tif 000019
【図１９】
0005812335.tif 000020
【図２０】
0005812335.tif 000021
【図２１】
0005812335.tif 000022
【図２２】
0005812335.tif 000023
【図２３】
0005812335.tif 000024
【図２４】
0005812335.tif 000025